(57)【特許請求の範囲】
【請求項１】
移動端末であって、ケースを備え、前記ケースにヘッドフォンジャック、及び前記ヘッドフォンジャックに接続される互換性のある回路が設けられ、前記互換性のある回路は、オーディオコーデック、アナログスイッチ、アプリケーションプロセッサ及び前記ヘッドフォンジャックを備え、前記ヘッドフォンジャックは入力ピンと出力ピンを備え、
前記オーディオコーデックは前記ヘッドフォンジャックの入力ピンに接続され、前記ヘッドフォンジャックの入力ピンから測定したインピーダンス値に基づき、前記ヘッドフォンジャックから挿入した外部装置を確定し、前記外部装置は外付けスピーカーとヘッドフォンを含み、
前記アナログスイッチの出力ピンは前記ヘッドフォンジャックの出力ピンに接続され、前記アナログスイッチの入力ピンはそれぞれ前記オーディオコーデックのスピーカー信号出力ピンとヘッドフォン信号出力ピンに接続され、
前記アプリケーションプロセッサは前記オーディオコーデックと前記アナログスイッチに接続され、前記外部装置が外付けスピーカである際に、前記オーディオコーデックのスピーカー信号出力ピンからの入力信号を前記アナログスイッチの出力ピンから出力するように前記アナログスイッチを制御し、前記外部装置がヘッドフォンである際に、前記オーディオコーデックのヘッドフォン信号出力ピンからの入力信号を前記アナログスイッチの出力ピンから出力するように前記アナログスイッチを制御し、
前記アナログスイッチは、
前記アプリケーションプロセッサのGPIOピンに接続される制御線ピンを含み、
前記アプリケーションプロセッサは外部装置が外付けスピーカーである際に、前記制御線ピンによって、前記アナログスイッチの第1アナログ信号入力ポートと第2アナログ信号入力ポートの入力信号を、それぞれ第1アナログ信号出力ポートと第2アナログ信号出力ポートから出力するように制御し、
前記アプリケーションプロセッサは外部装置がヘッドフォンである際に、前記制御線ピンによって、前記アナログスイッチの第3アナログ信号入力ポートと第4アナログ信号入力ポートの入力信号を、それぞれ前記第1アナログ信号出力ポートと第2アナログ信号出力ポートから出力するように制御する移動端末。
【請求項２】
前記ヘッドフォンジャックの入力ピンはMICピンとDETピンを含み、前記オーディオコーデックの入力ピンはHPdetピンとHPmicピンを含み、
前記HPdetピンは前記DETピンに接続され、前記ヘッドフォンジャックの入力ピンのインピーダンス値を測定し、前記ヘッドフォンジャックから挿入した外部装置を確定し、前記MICピンは前記HPmicピンに接続される請求項1に記載の移動端末。
【請求項３】
前記ヘッドフォンジャックの出力ピンは右サウンドチャンネルピンと左サウンドチャンネルピンを含み、
前記アナログスイッチの出力ピンは第1出力ピンと第2出力ピンを含み、
前記第1出力ピンは前記右サウンドチャンネルピンに接続され、第2出力ピンは前記左サウンドチャンネルピンに接続される請求項1に記載の移動端末。
【請求項４】
前記アナログスイッチの第1アナログ信号入力ポートと第2アナログ信号入力ポートは、それぞれ前記オーディオコーデックのSPKNピンとSPKPピンに接続され、
前記アナログスイッチの第3アナログ信号入力ポートと第4アナログ信号入力ポートは、それぞれ前記オーディオコーデックのHPRピンとHPLピンに接続される請求項1に記載の移動端末。
【請求項５】
パワーアンプを更に備え、前記パワーアンプの2つの入力端はそれぞれ前記オーディオコーデックのSPKNピン及びSPKPピンに接続され、前記パワーアンプの2つの出力端はそれぞれ前記アナログスイッチの第1アナログ入力ポートと第2アナログ入力ポートに接続される請求項4に記載の移動端末。
【請求項６】
前記ヘッドフォンジャック、前記オーディオコーデック及び前記アナログスイッチはそれぞれ1つの接地ピンを有する請求項1に記載の移動端末。
【請求項７】
前記外付けスピーカーは、
外付けホーンサウンドボックス、
前記外付けホーンサウンドボックス及び前記ケースにおけるヘッドフォン差し込み孔に接続されるサウンドボックスプラグを備える請求項1に記載の移動端末。
【請求項８】
前記サウンドボックスプラグは第1接点と第2接点を含み、第1接点はそれぞれ前記ヘッドフォンジャックの左サウンドチャンネルピンとDETピンに接続され、第2接点はそれぞれ前記ヘッドフォンジャックの右サウンドチャンネルピン、MICピン及び接地ピンに接続される請求項7に記載の移動端末。
【請求項９】
前記第1接点と前記第2接点は導線によって、前記外付けホーンサウンドボックスの2つの接続ピンに接続される請求項8に記載の移動端末。
【請求項１０】
前記サウンドボックスプラグは二段式プラグであり、前記第1接点はサウンドボックスプラグのヘッドフォンジャックポートに近い第1段にあり、前記第2接点はサウンドボックスプラグのヘッドフォンジャックポートから遠い第2段にある請求項8に記載の移動端末。
【発明の詳細な説明】
【技術分野】
【０００１】
本発明は通信技術分野に関し、特に移動端末に関する。
【背景技術】
【０００２】
科学技術の急速な発展に伴って、移動端末を使用して音楽や映画を再生するのは、既に人々の日常生活の非常に重要なレクリエーション形態となった。ユーザーの移動端末機能、特に外部への再生音の音量及び音質方面に対する要求も益々高くなる。
【０００３】
移動端末に対して、再生音量及び音質に影響を及ぼす主な要因は、ホーンユニットの性能及びスピーカー音響室の大きさにある。移動端末のスピーカーが放射する音響パワーは比較的大きいため、ホーンユニットの体積は非常に小さく作ることができなく、同時に、ホーンキャビティの体積は外部への再生音のラウドネス及び音質に大きな影響を及ぼし、ホーンキャビティは規則であるほど、後部のキャビティが大きくなり、ホーンが再生した低周波部分の音が豊かであり、音質は相対的によくなり、逆に、ホーンの後部のキャビティが小さいほど、再生した音の低周波成分が少なくなり、音は比較的ドライで、単調で、力がない。
【０００４】
それと矛盾することは、現在のインテリジェント移動端末市場はますます薄いタイプを喜び、ホーンキャビティに留めた空間も少なくなり、音の音質は完全にアルゴリズムによって向上する空間がほとんどない。良好な外部への再生音質を求めるために、大きなスピーカーSPK音響室体積と高性能のホーンユニットを必要とする。従来、移動端末のよく使用されるホーンユニットの厚みは一般的に3.5mmであり、ホーンユニットのメーカーも絶えずホーンの厚みを最適化するが、これまで、この厚さは少なくとも2.5mm以上である。こんな厚いホーンを移動端末のケース内に入れるために、一定の前後キャビティの体積を必要とし、更にスクリーンとマザーボードの厚みを加えて、超薄にするのは、必ず非常に困難である。
【発明の概要】
【発明が解決しようとする課題】
【０００５】
本発明の実施例は従来の移動端末のホーンキャビティが小さいことで外部への再生音質が相対的に悪いという問題を解決するための移動端末を提供する。
【課題を解決するための手段】
【０００６】
上記目的を実現するために、本発明の実施例は移動端末を提供し、ケースを備え、前記ケースにヘッドフォンジャック、及び前記ヘッドフォンジャックに接続される互換性のある回路が設けられ、前記互換性のある回路はオーディオコーデック、アナログスイッチ、アプリケーションプロセッサ、及び前記ヘッドフォンジャックを備え、
前記ヘッドフォンジャックは入力ピンと出力ピンを備え、
前記オーディオコーデックは前記ヘッドフォンジャックの入力ピンに接続され、前記ヘッドフォンジャックの入力ピンから測定したインピーダンス値に基づき、前記ヘッドフォンジャックから挿入した外部装置を確定し、前記外部装置は外付けスピーカーとヘッドフォンを含み、
前記アナログスイッチの出力ピンは前記ヘッドフォンジャックの出力ピンに接続され、前記アナログスイッチの入力ピンはそれぞれ前記オーディオコーデックのスピーカー信号出力ピンとヘッドフォン信号出力ピンに接続され、
前記アプリケーションプロセッサは前記オーディオコーデックと前記アナログスイッチに接続され、前記外部装置が外付けスピーカーである際に、前記オーディオコーデックのスピーカー信号出力ピンからの入力信号を前記アナログスイッチの出力ピンから出力するように前記アナログスイッチを制御し、前記外部装置がヘッドフォンである際に、前記オーディオコーデックのヘッドフォン信号出力ピンからの入力信号を前記アナログスイッチの出力ピンから出力するように前記アナログスイッチを制御する。
【０００７】
前記ヘッドフォンジャックの入力ピンはMICピン、DETピンを含み、
前記オーディオコーデックはHPdetピン及びHPmicピンを含み、
前記DETピンは前記HPdetピンに接続され、前記ヘッドフォンジャックの入力ピンのインピーダンス値を測定し、前記ヘッドフォンジャックから挿入した外部装置を確定し、前記MICピンは前記HPmicピンに接続される。
【０００８】
前記ヘッドフォンジャックの出力ピンは右サウンドチャンネルピン、左サウンドチャンネルピンを含み、
前記アナログスイッチの出力ピンは第1出力ピン及び第2出力ピンを含み、
前記第1出力ピンは前記右サウンドチャンネルピンに接続され、第2出力ピンは前記左サウンドチャンネルピンに接続される。
【０００９】
前記アナログスイッチは制御線ピンを含み、
前記制御線ピンは前記アプリケーションプロセッサのGPIOピンに接続され、
前記アプリケーションプロセッサは外部装置が外付けスピーカーである際に、制御線ピンによって、前記アナログスイッチの第1アナログ信号入力ポートと第2アナログ信号入力ポートの入力信号を、それぞれ第1アナログ信号出力ポートと第2アナログ信号出力ポートから出力するように制御し、
前記アプリケーションプロセッサは外部装置がヘッドフォンである際に、制御線ピンによって、前記アナログスイッチの第3アナログ信号入力ポートと第4アナログ信号入力ポートの入力信号を、それぞれ第1アナログ信号出力ポートと第2アナログ信号出力ポートから出力するように制御する。
【００１０】
前記アナログスイッチの第1アナログ信号入力ポートと第2アナログ信号入力ポートは、それぞれ前記オーディオコーデックのSPKNピンとSPKPピンに接続され、
前記アナログスイッチの第3アナログ信号入力ポートと第4アナログ信号入力ポートは、それぞれ前記オーディオコーデックのHPRピンとHPLピンに接続される。
【００１１】
前記移動端末はパワーアンプを更に備え、前記パワーアンプの2つの入力端はそれぞれ前記オーディオコーデックのSPKNピン及びSPKPピンに接続され、前記パワーアンプの2つの出力端はそれぞれ前記アナログスイッチの第1アナログ入力ポートと第2アナログ入力ポートに接続される。
【００１２】
前記ヘッドフォンジャック、前記オーディオコーデック及び前記アナログスイッチはいずれも1つの接地ピンを有する。
【００１３】
前記外付けスピーカーは、
外付けホーンサウンドボックス、
前記外付けホーンサウンドボックス及び前記ケースにおけるヘッドフォン差し込み孔に接続されるサウンドボックスプラグを備える。
【００１４】
前記サウンドボックスプラグは第1接点と第2接点を含み、第1接点はそれぞれ前記ヘッドフォンジャックの左サウンドチャンネルピンとDETピンに接続され、第2接点はそれぞれ前記ヘッドフォンジャックの右サウンドチャンネルピン、MICピン及び接地ピンに接続される。
【００１５】
前記第1接点と前記第2接点は導線によって、前記外付けホーンサウンドボックスの2つの接続ピンに接続される。
【００１６】
前記サウンドボックスプラグは二段式プラグであり、前記第1接点はサウンドボックスプラグのヘッドフォンジャックポートに近い第1段にあり、前記第2接点はサウンドボックスプラグのヘッドフォンジャックポートから遠い第2段にある。
【発明の効果】
【００１７】
本発明の実施例は以下の有益な効果を有し、
本発明の実施例の移動端末は、ヘッドフォンジャックの入力ピンのインピーダンス値に基づき、ヘッドフォン差し込み孔に挿入した外部装置がヘッドフォンであるか外付けスピーカーであるかを確定し、それによりヘッドフォン再生モードと外付けスピーカー再生モードとの間のハンドオーバを行い、高性能の外部への再生効果を実現して、外部への再生音量とユーザー体験を向上させる。
【図面の簡単な説明】
【００１８】
【図１】図1は本発明の実施例による互換性のある回路図である。
【図２】図2は本発明の実施例による外付けスピーカーの構造図である。
【図３】図3は本発明の実施例による作動フローチャートである。符号の説明  1-外付けスピーカー、2-サウンドボックスプラグ、3-外付けホーンサウンドボックス。
【発明を実施するための形態】
【００１９】
本発明の実施例が解決する技術問題、技術的解決手段及び利点をより明確にするために、以下、具体的な実施例及び図面を参照して詳細に説明する。
【００２０】
本発明の実施例は、従来の移動端末のホーンキャビティが小さいことで外部への再生音質が相対的に悪い問題を解決し、本発明の実施例は移動端末を提供し、ケースを備え、ケースにヘッドフォン差し込み孔が設けられ、該移動端末は、
ヘッドフォン差し込み孔に接続される互換性のある回路を更に備え、図1に示すように、互換性のある回路は、入力ピンと出力ピンを有するヘッドフォンジャック、ヘッドフォンジャックの入力ピンに接続されるオーディオコーデック（CODEC）チップ、オーディオコーデックチップに接続されるアプリケーションプロセッサ（AP）チップ、アプリケーションプロセッサチップに接続されるアナログスイッチチップを備え、
ヘッドフォンジャックの入力ピンはMICピン、DETピンを含み、ヘッドフォンジャックの出力ピンは右サウンドチャンネルRIGHTピン、左サウンドチャンネルLEFTピンを含み、ヘッドフォンジャックは1つの接地ピンGNDを更に含み、
オーディオコーデックチップはヘッドフォンジャックの入力ピンのインピーダンス値に基づき、ヘッドフォンジャックに挿入した外部装置を確定し、外部装置は外付けスピーカー或いはヘッドフォンであり、オーディオコーデックチップはHPdetピン、HPmicピン、HPLピン、HPRピン、SPKPピン及びSPKNピンを含み、
本発明の具体的な実施例において、ヘッドフォンジャックのDETピンはヘッドフォンジャックの入力ピンのインピーダンス値を測定し、ヘッドフォンジャックに挿入した外部装置を確定し、且つオーディオコーデックチップのHPdetピンに接続され、ヘッドフォンジャックのMICピンはオーディオコーデックチップのHPmicピンに接続される。
【００２１】
オーディオコーデックチップに接続されるアプリケーションプロセッサ（AP）チップは、具体的に、オーディオコーデックとアプリケーションプロセッサチップとの間にバスによって接続され、互いに制御信号とデータフローを伝送することができ、
アナログスイッチチップの入力ピンは4つのアナログ信号入力ポートIN1〜IN4を含み、第1アナログ信号入力ポートIN1と第2アナログ信号入力ポートIN2は、それぞれオーディオコーデックチップのスピーカー信号出力端SPKNとSPKPに接続され、第3アナログ信号入力ポートIN3と第4アナログ信号入力ポートIN4は、それぞれオーディオコーデックチップのヘッドフォン信号出力端HPRとHPLに接続され、アナログスイッチチップの出力ピンは第1出力ピンOUT1及び第2出力ピンOUT2を含み、それぞれヘッドフォンジャックの出力ピンに接続され、選択的に、第1出力ピンOUT1はヘッドフォンジャックの右サウンドチャンネルRIGHTピンに接続され、第2出力ピンOUT2はヘッドフォンジャックの左サウンドチャンネルLEFTピンに接続される。
【００２２】
本発明の具体的な実施例において、アナログスイッチチップは制御線SELECTピンを更に備え、且つSELECTピンによってアプリケーションプロセッサチップのGPIOピンに接続される。アプリケーションプロセッサチップは外部装置が外付けスピーカーである際に、SELECTピンによってアナログスイッチチップのIN1とIN2をそれぞれOUT1とOUT2に連通するように制御し、
アプリケーションプロセッサチップは外部装置がヘッドフォンである際に、SELECTピンによってアナログスイッチチップのIN3とIN4をそれぞれOUT1とOUT2に連通するように制御する。
【００２３】
また、本発明の具体的な実施例において、アナログスイッチのIN1及びIN2とオーディオコーデックチップのSPKPピン及びSPKNピンとの間に1つのパワーアンプ、例えば高性能D級スピーカアンプを増加してもよい。
【００２４】
本発明の実施例による互換性のある回路は外部装置のインピーダンス値を検査することによって、ヘッドフォン差し込み孔に挿入した外部装置がヘッドフォンであるか外付けスピーカーであるかを確定し、それによりヘッドフォン再生モードと外付けスピーカー再生モードとの間のハンドオーバを行い、高性能の外部への再生効果を実現する。
【００２５】
以下、例を挙げて本発明の実施例の作動原理を説明する。
【００２６】
本発明の具体的な実施例において、図2に示すように、外付けスピーカー1は、外付けホーンサウンドボックス3、外付けホーンサウンドボックス3及び移動端末のケースにおけるヘッドフォン差し込み孔に接続されるサウンドボックスプラグ2を備え、選択的に、サウンドボックスプラグ2は二段式プラグであり、且つサウンドボックスプラグ2は第1接点と第2接点という2つの接点を含み、第1接点はサウンドボックスプラグ2のヘッドフォンジャックに近い第1段にあり、第2接点はサウンドボックスプラグ2のヘッドフォンジャックから遠い第2段にあり、2つの接点は導線によって外付けホーンサウンドボックス3の2つの接続ピンに接続され、それにより音アナログの電気信号を外付けホーンサウンドボックスの2つの接続ピンに引き入れ、ホーンの作動を駆動して、音を生成する。
【００２７】
従来、移動端末のよく使用されるホーンのインピーダンス値は一般的に8オーム以下であり、外付けスピーカー1のサウンドボックスプラグ2をヘッドフォン差し込み孔に挿入した後に、サウンドボックスプラグ2の先端の接点がヘッドフォンジャックのDETピン及び左サウンドチャンネルLEFTピンに接続され、サウンドボックスプラグ2の他の接点はヘッドフォンジャックのMICピン、右サウンドチャンネルRIGHTピン及び接地GNDピンに接続される。ヘッドフォンジャックのDETピンはオーディオコーデックチップのHPdetピンに接続されるため、CODECチップのHPdetピンが測定した抵抗値は、外付けホーンサウンドボックスにおけるホーンユニットの2つの接続ピンとの間の抵抗値又はヘッドフォン左サウンドチャンネルのインピーダンスであり、外付けホーンサウンドボックスであると、ホーンユニットの2つの接続ピンの間の抵抗値即ちホーンユニットのグランドへのインピーダンス値であり、且つインピーダンス値は8オーム以下であり、ヘッドフォンであると、その左右サウンドチャンネルのグランドへのインピーダンスは一般的に32オームであり、最も小さく16オーム以上であるため、CODECチップはHPdetピンが測定したインピーダンス値に基づき、ヘッドフォン差し込み孔に挿入した外部装置が外付けスピーカーであるかヘッドフォンであるかを区別することができる。
【００２８】
本発明の実施例の作動フローは図3に示すように、ユーザーは外付けスピーカー或いはヘッドフォンをヘッドフォン差し込み孔に挿入し、
CODECチップは抜き差し動作によってプラグの挿入を検出し、且つHPdetピンによってヘッドフォンジャック入力ピンDETピンのグランドへのインピーダンス値を検出し、
CODECチップはHPdetピンが測定したインピーダンス値と予め設定した閾値とを比較して、1つの比較結果を得ており、仮に予め設定した閾値が10オームであり、
比較結果はインピーダンス値が10オームより小さいことであると、ヘッドフォン差し込み孔に挿入した外部装置が外付けスピーカーであると判定し、比較結果は測定したインピーダンス値が10オームより大きいと、ヘッドフォン差し込み孔に挿入した外部装置がヘッドフォンであると判定し、
ヘッドフォン差し込み孔に挿入した外部装置は外付けスピーカーであると、CODECチップは音信号をスピーカーチャンネルにハンドオーバし、即ち音信号をCODECチップのSPKPピン及びSPKNピンから出力し、同時に判定結果をAPチップにフィードバックし、ヘッドフォン差し込み孔に挿入した外部装置はヘッドフォンであると、CODECチップは音信号をヘッドフォンチャンネルにハンドオーバし、即ち音信号をCODECチップのHPLピン及びHPRピンから出力し、同時に判定結果をAPチップにフィードバックし、
CODECチップがフィードバックした判断結果はヘッドフォン差し込み孔に挿入した外部装置が外付けスピーカーである場合に、APチップはGPIO制御線によってアナログスイッチのSELECTピンを介して、アナログスイッチチップのOUT1とOUT2をそれぞれIN1とIN2に接続されるように制御し、この時、音信号をアナログスイッチチップによって変換して、外付けスピーカーによって再生し、CODECチップがフィードバックした判断結果はヘッドフォン差し込み孔に挿入した外部装置がヘッドフォンである場合に、APチップはGPIO制御線によってアナログスイッチのSELECTピンを介して、アナログスイッチチップのOUT1とOUT2をそれぞれIN3とIN4に接続されるように制御し、この時、音信号をアナログスイッチチップによって変換して、ヘッドフォンによって再生する。
【００２９】
本発明の実施例による移動端末は、ヘッドフォン差し込み孔に挿入した外部装置のインピーダンス値を測定することによって、ヘッドフォン差し込み孔に挿入した外部装置がヘッドフォン或いは外付けスピーカーであるのを判断し、それによりヘッドフォン再生モードと外付けスピーカー再生モードとの間のハンドオーバを実現し、高性能の外部への再生効果を実現し、外部への再生音量を向上させる。
【００３０】
本発明の具体的な実施例において、異なる移動端末の外形に基づき多種のホーンサウンドボックスキャビティを設計することができ、ユーザーにより多くの選択を有させる。同時に、ホーンサウンドボックスユニットは更に自由に回転して自由に取り外すことができ、自由に音の伝播方向を選択することができ、ユーザー体験を強化する。
【００３１】
本発明の実施例による移動端末は、外部への再生モードを必要とする場合に、外付けスピーカーをヘッドフォン差し込み孔に挿入すればよく、外部への再生モードを必要としない場合、自動的に振動モードにハンドオーバする。
【００３２】
本発明の実施例による移動端末は、既存のヘッドフォン差し込み孔を利用して、高性能の外部への再生効果を実現し、同時に、ホーン及びそのキャビティの移動端末でのレイアウトの制限を効果的に避け、高い使用価値を有し、ユーザー体験を向上させる。
【００３３】
上記は本発明の好ましい実施例だけであり、本発明を制限するためのものではない。本発明の精神と原則を逸脱しない限り、行ったいずれの修正、等価置き換え、改善などは、いずれも本発明の保護範囲に含まれるべきである。
【産業上の利用可能性】
【００３４】
本発明の実施例による移動端末は、ヘッドフォン差し込み孔に挿入した外部装置のインピーダンス値を測定することによって、ヘッドフォン差し込み孔に挿入した外部装置がヘッドフォン或いは外付けスピーカーであるのを判断し、それによりヘッドフォン再生モードと外付けスピーカー再生モードとの間のハンドオーバを実現し、高性能の外部への再生効果を実現し、外部への再生音量を向上させる。
【図１】
0006425796.tif 000002
【図２】
0006425796.tif 000003
【図３】
0006425796.tif 000004